(57)【要約】      （修正有）【課題】警棒に取り付けられた殴打具を移動しようとする又は移動する被破砕物に衝突させたときにも、確実に該被破砕物に衝撃を与えることができる警棒を提供する。【解決手段】警棒２０の底蓋２３に取り付けられる殴打具１であって、該殴打具１は、クラッシャー板を備えており、該クラッシャー板には、その周縁に全周に亘って複数の尖端部が間隔を置いて形成されている。そして、前記クラッシャー板の周縁には、尖端部を備えた歯状部又はピン状突起が形成することができる。【選択図】図３
0003169370.tif 000002
【実用新案登録請求の範囲】
【請求項１】
警棒の底蓋に取り付けられる殴打具であって、
該殴打具は、クラッシャー板を備えており、
該クラッシャー板には、その周縁に全周に亘って複数の尖端部が間隔を置いて形成されていることを特徴とする殴打具。
【請求項２】
前記クラッシャー板の周縁には、尖端部を備えた歯状部が形成されていることを特徴とする請求項１に記載の殴打具。
【請求項３】
前記クラッシャー板の周縁には、尖端部を備えたピン状突起が形成されていることを特徴とする請求項１に記載の殴打具。
【請求項４】
前記尖端部は3.4mm乃至4.8mmの間隔をおいて形成されていることを特徴とする請求項１に記載の殴打具。
【請求項５】
前記クラッシャー板は円盤形状であり、
前記尖端部は等間隔で形成されていることを特徴とする請求項１に記載の殴打具。
【請求項６】
前記クラッシャー板の中心部にクラッシャーピンを更に備えることを特徴とする請求項１に記載の殴打具。
【請求項７】
前記警棒の底蓋に螺着されることを特徴とする請求項１に記載の殴打具。
【請求項８】
請求項１に記載の殴打具が装着されていることを特徴とする警棒。
【考案の詳細な説明】
【技術分野】
【０００１】
本考案は、非常時に自動車の窓ガラス等の被破砕物を破砕するために用いる警棒及びその殴打具に関するものである。
【背景技術】
【０００２】
非常時に自動車に閉じこめられている人を救済するために、窓ガラスを割らなければならないことがあるが、該窓ガラスは、強靱に形成されているので、警棒の端部で突いても破砕しない。そこで、該警棒の端部にクラッシャーピンを突設し、該クラッシャーピンで突いて衝撃を与え、破砕している。
【０００３】
ところが、前記クラッシャーピンは、金属で形成されているため、露出していると危険である。そこで、該クラッシャーピンを、半球形に形成された弾性頭体の貫通穴に挿着して該クラッシャーピンの露出を防止すると共に、該クラッシュピンの先端を該頭体の頂部から少し引っ込めている。前記警棒の端部で窓ガラスを突くと、該頭体が圧縮変形し、クラッシャーピンの先端部が露出して前記窓ガラスに衝撃を与えるので、該窓ガラスは割れる。
【考案の概要】
【考案が解決しようとする課題】
【０００４】
従来例は、前記警棒を前記窓ガラスに対して直角（垂直状）に衝突させた場合には、半球形弾性頭体の頂部が該窓ガラスに当接して圧縮変形され、前記クラッシャーピンの先端部が露出して該窓ガラスに衝突するので、破砕することができるものであり、静止している自動車等に対しては、効果的に該窓ガラス等を割ることができる。
【０００５】
しかしながら、容疑者等の確保のために自動車等の前記窓ガラスを割る必要がある場合には、該容疑者等が逃走を図るために該自動車を急発進させることがある。従来例では、直角（垂直状）に衝突させる必要があるため、該自動車が急発進し、突発的に前記警棒を手に取り、該窓ガラスを割ったり、走り去ろうとする該自動車の窓ガラスを割ったりする必要がある場合には、該警棒の前記クラッシャーピンの先端部を上手く衝突させることができず、該窓ガラスを破砕させることができないことがあるという問題があった。
【０００６】
本考案は、前記事情に鑑み、殴打具を移動しようとする又は移動する被破砕物に衝突させたときにも、確実に該被破砕物に衝撃を与えることができるようにすることを目的とする。
【課題を解決するための手段】
【０００７】
本考案は、警棒の底蓋に取り付けられる殴打具であって、該殴打具は、クラッシャー板を備えており、該クラッシャー板には、その周縁に全周に亘って複数の尖端部が間隔を置いて形成されていることを特徴とする殴打具である。
【０００８】
又、本考案は、前記クラッシャー板の周縁には、尖端部を備えた歯状部が形成されていることを特徴とする殴打具である。
【０００９】
又、本考案は、前記クラッシャー板の周縁には、尖端部を備えたピン状突起が形成されていることを特徴とする殴打具である。
【００１０】
又、本考案は、前記尖端部は3.4mm乃至4.8mmの間隔をおいて形成されていることを特徴とする殴打具である。
【００１１】
又、本考案は、前記クラッシャー板は円盤形状であり、前記尖端部は等間隔で形成されていることを特徴とする殴打具である。
【００１２】
又、本考案は、前記クラッシャー板の中心部にクラッシャーピンを更に備えることを特徴とする殴打具である。
【００１３】
又、本考案は、前記警棒の底蓋に螺着されることを特徴とする殴打具である。
【００１４】
又、本考案は、前記殴打具が装着されていることを特徴とする警棒である。
【考案の効果】
【００１５】
本考案は、以上のように構成したので、殴打具で斜めより被破砕物を叩いても、即ち、殴打具の側面を被破砕物に衝突させても、該被破砕物を破砕することができるため。移動しようとする又は移動する該被破砕物も確実に破砕することができる。
【図面の簡単な説明】
【００１６】
【図１】本考案の実施形態における殴打具を示す平面図であり、（ａ）は保護カバーがない状態を示す図であり、（ｂ）は保護カバーがある状態を示す図である。
【図２】図１のII−II線における断面図である。
【図３】本考案の実施形態における警棒を示す図である。
【図４】本考案の実施形態における殴打具が窓ガラスに衝突した際の状態を示す図である。
【考案を実施するための形態】
【００１７】
本考案の実施形態を図１乃至４により説明する。警棒２０のグリップ２１の端部２２には、底蓋２３が螺着されており、底蓋２３には殴打具１が取り付けられる。グリップ２１は、金属等で形成された円筒状体であり、その先端部には、底蓋２３を螺着するための螺子部（図示せず）が設けられている。
【００１８】
殴打具１は、クラッシャー板２、本体３、クラッシャーピン４、保護カバー５及びリングナット６により構成され、略円錐形をしている。
【００１９】
クラッシャー板２は、略円盤形状であり、その周縁には、全周に亘って、尖端部７を備えた歯状部８が複数形成される。歯状部８は略三角形状、好ましくは、二等辺三角形状又は正三角形状、をしており連続して形成される。つまり、尖端部７は、クラッシャー板２の周縁の全周に亘って、間隔を置いて形成されることとなる。又、その材質は、被破砕物に衝突させた際に、被破砕物を破砕できればよく、例えば、ハイス鋼等が適宜選択される。
【００２０】
尖端部７は、被破砕物に殴打具１を衝突させ、被破砕物を破砕するために形成され、被破砕物の破砕に適した間隔で形成される。最も理想的には、殴打具１の側部９の何れの箇所が被破砕物に衝突したとしても、唯１つの尖端部７ａが被破砕物に衝突し、他の尖端部７ｂ，７ｃ等は衝突しないように形成される。即ち、尖端部７の数がクラッシャー板２の周長に対して少なすぎる場合、例えば、尖端部７間の間隔が約5/3・πmm（≒5.3mm）よりも長い場合、には、殴打具１の側部９が被破砕物に衝突しても、尖端部７が被破砕物に衝突せず、被破砕物の破砕ができない確率が高くなる。
【００２１】
又、逆に尖端部７の数がクラッシャー板２の周長に対して多すぎる場合にも、複数の尖端部７、例えば、尖端部７ａと尖端部７ｂ、が被破砕物に衝突してしまい、その際の力が分散してしまう。そのため、殴打具１の側部９が被破砕物に衝突しても、被破砕物の破砕ができない確率が高くなる。従って、尖端部７は、約15/14・πmm（≒3.4mm）乃至約3/2・πmm（≒4.8mm）の間隔で、等間隔に形成されていることが好ましい。
【００２２】
本体３は、クラッシャー板２の中心に貫設され、拡径部１０及び底蓋２３のねじ穴（図示せず）に螺着するための螺子部１１を備える（尚、図２において、螺子山及び螺溝は省略する）。又、拡径部１０は、クラッシャーピン４を保持するための凹所を備える。尚、本体３の材質は、例えば、ステンレス鋼等が適宜選択される。
【００２３】
クラッシャーピン４は、本体３から突出するように設けられ、金属、例えば、超硬金属により形成された円柱体であり、その軸心は、本体３の中心線Ｃの延長線上に位置し、その先端部１２は、略円錐状に形成されている。
【００２４】
保護カバー５はクラッシャー板２及びクラッシャーピン４を被覆するために設けられる。つまり、保護カバー５は、常時は、使用者等が怪我等しないようにクラッシャー板の尖端部７及びクラッシャーピンの先端部１２を被覆し、殴打具１の使用時には、保護カバー５は、被破砕物との衝突によって弾性変形し、尖端部７等を露出させるようになっている。又、その材質は、例えば、合成ゴム等が適宜選択され、その厚さは下記作動に支障がなければよく、適宜選択することが可能である。
【００２５】
次に、本実施形態の作動について説明する。移動しようとする又は移動中の被破砕物、例えば、図４に示す垂直状の自動車の窓ガラス３０に向かって警棒２０を振り、警棒２０の底蓋２３に螺着された殴打具１を矢印Ａ１の方向に変位させると、殴打具１の側部９が窓ガラス３０に衝突する。そうすると、保護カバー５が弾性変形するため、クラッシャー板２の１つの尖端部７ａが、保護カバー５から露出し、窓ガラス３０に衝突するので、窓ガラス３０は確実に割れる。
【００２６】
そして、窓ガラス３０が静止している場合には、殴打具１を矢印Ａ２方向（垂直方向）に変位させると頂部１３が窓ガラス３０に衝突する。そうすると、今度はクラッシャーピン４が保護カバー５から露出して窓ガラス３０に衝突するので、窓ガラス３０は確実に割れる。又、上記と同様に、殴打具１を矢印Ａ１の方向から変位させ、クラッシャー板２の尖端部７ａを衝突させても窓ガラス３０を確実に割ることができる。従って、本実施形態は被破砕物が、比較的高所にあったり、障害物等があったりして、クラッシャーピン４により破砕できない場合にも、破砕が可能である。
【００２７】
又、クラッシャー板２及びクラッシャーピン４はハイス鋼や超硬金属等で形成されているが、強靭な窓ガラスに対して衝撃を繰り返すと磨耗してしまう。しかしながら、本実施形態の殴打具１は、底蓋２３に螺着され着脱可能であるので、簡単に交換することが出来る。
【００２８】
以上のように、本実施形態は、尖端部７をクラッシャー板２の周縁に形成したので、警棒２０に取り付けられた殴打具１を矢印Ａ１方向から変位させて被破砕物に衝突させても、窓ガラス３０等の被破砕物を破砕することができるので、移動しようとする又は移動している該被破砕物であっても確実に破砕することができる。又、静止している被破砕物に対しては、殴打具１を矢印Ａ１方向及び矢印Ａ２方向の何れから衝突させても該被破砕物を破砕することができ、必要に応じて適宜使い分けることができる。
【００２９】
尚、本考案は、上記実施形態に限定されるものではない。例えば、クラッシャー板２には尖端部７が形成されていればよく、歯状部８は必ずしも連続して形成されている必要はなく、歯状部８の変わりに尖端部７を備えたピン状突起（図示せず）に形成してもよい。又、殴打具１は警棒２０の底蓋２３に螺着以外の方法で固定させてもよい。そして、各々の材質は、上記機能は発揮されればよく、特に限定されるものではない。
【符号の説明】
【００３０】
１    殴打具                ２    クラッシャー板        ３    本体
４    クラッシャーピン      ５    保護カバー            ６    リングナット
７    尖端部                ８    歯状部                ９    側部
１０  拡径部                １１  螺子部                １２  先端部
１３  頂部                  ２０  警棒                  ２１  グリップ
２２  端部                  ２３  底蓋                  ３０  窓ガラス
【図１】
0003169370.tif 000003
【図２】
0003169370.tif 000004
【図３】
0003169370.tif 000005
【図４】
0003169370.tif 000006